(57)【要約】      （修正有）【課題】居住者が応答すること無く来訪者に応じた動作を実施させることができるインターホンシステムを提供する。【解決手段】住戸親機２には、来訪予定者情報の入力及び来訪予定者に対する特定の制御を設定登録するに居住者携帯７と通信するための無線ルータ６が接続されている。制御装置３は、入力された来訪予定者情報及び特定の制御を記憶する設定情報記憶部を備えて設定された制御を実行する。制御装置３は、来訪予定者情報の入力を受けた場合、来訪予定者が使用する登録番号を発行して住戸親機２に返信すると共に設定情報記憶部に保存し、登録番号が集合玄関機１から入力されたとき、登録番号に関連付けられている特定の制御を、設定情報記憶部から読み取って実行する。【選択図】図１
2019149761.tif 000002
【特許請求の範囲】
【請求項１】
来訪者を撮像するカメラを備えて来訪者が居住者を呼び出して通話するための呼出子機と、前記カメラの撮像映像を表示するモニタを備えて居住者が前記呼出子機からの呼び出しに応答して通話するための応答親機とを有するインターホンシステムであって、
前記応答親機は、来訪予定者情報の入力及び当該来訪予定者に対する特定の制御を設定登録するための制御入力部を有する一方、
入力された前記来訪予定者情報及び前記特定の制御を記憶する設定情報記憶部と、設定された制御を実行する制御手段とを有し、
前記制御手段は、前記来訪予定者情報の入力を受けたら来訪予定者が使用するＩＤを発行して前記応答親機に返信すると共に前記設定情報記憶部に保存し、
発行された前記ＩＤが前記呼出子機に入力されたら、当該ＩＤに関連付けられている特定の制御を前記設定情報記憶部から読み取って実行することを特徴とするインターホンシステム。
【請求項２】
前記制御入力部が、前記応答親機に接続されたルータであり、居住者が所持する通信端末から前記ルータを介して前記制御手段に対して前記来訪予定者情報の入力及び当該来訪予定者に対する特定の制御の設定登録が可能であり、
前記制御手段で発行された前記ＩＤは、前記ルータを介して前記通信端末に返信されることを特徴とする請求項１記載のインターホンシステム。
【請求項３】
居住者が所持する前記通信端末には来訪予定者が所持する携帯電話のアドレス或いは電話番号が登録されており、
前記制御手段から前記通信端末へ発行されたＩＤは、前記通信端末から前記携帯電話に自動送信されることを特徴とする請求項２記載のインターホンシステム。
【請求項４】
前記応答親機は前記カメラの撮像映像を保存する映像記憶部を有し、
前記制御手段は、前記呼出子機にＩＤが入力されたら、前記カメラの撮像映像をＩＤに関連付けられている前記応答親機のモニタに表示させることを特徴とする請求項１乃至３の何れかに記載のインターホンシステム。
【請求項５】
設定登録される前記来訪予定者情報は、来訪予定者の氏名情報或いは名称情報を含み、
前記制御手段は、前記呼出子機にＩＤが入力されたら、ＩＤに関連付けられている来訪者の氏名情報或いは名称情報を前記ＩＤに関連付けられている前記応答親機に送信し、
表示或いは報音により到着を通知させることを特徴とする請求項１乃至４の何れかに記載のインターホンシステム。
【請求項６】
前記特定の制御が、前記呼出子機でのメッセージの表示或いは報音であり、前記メッセージは、来訪予定者情報の入力時に設定されることを特徴とする請求項１乃至５の何れかに記載のインターホンシステム。
【請求項７】
発行した前記ＩＤには有効期限或いは有効回数が設定されており、
前記制御手段は、有効期限が経過した或いは有効回数を超えた前記ＩＤが前記呼出子機から入力されても、ＩＤに関連付けられている制御を実施しないことを特徴とする請求項１乃至６の何れかに記載のインターホンシステム。
【請求項８】
前記呼出子機が集合住宅のエントランスに設置された集合玄関機、前記応答親機が集合住宅の個々の住戸に設置された住戸親機、前記制御手段が前記集合玄関機と前記住戸親機との間の通信を制御する制御装置ＣＰＵであることを特徴とする請求項１乃至７の何れかに記載のインターホンシステム。
【請求項９】
前記特定の制御が、エントランスに設置された集合玄関ドアの電気錠の解錠であることを特徴とする請求項８記載のインターホンシステム。
【請求項１０】
前記集合玄関機に前記ＩＤの入力が無く、住戸番号が入力された場合でも前記特定の制御を実施するよう前記特定の制御を設定でき、
自住戸の住戸番号が入力されたら、前記ＩＤを発行していただく操作を依頼するメッセージを前記集合玄関機に表示或いは報音させて、呼出制御を実施しない設定が可能なことを特徴とする請求項８又は９記載のインターホンシステム。
【請求項１１】
前記呼出子機が住戸玄関に設置された玄関子機、前記応答親機が居室に設置された居室親機、前記制御手段が前記居室親機に組み込まれて成ることを特徴とする請求項１乃至８の何れかに記載のインターホンシステム。
【請求項１２】
前記特定の制御が、玄関ドアの電気錠の解錠であることを特徴とする請求項１１記載のインターホンシステム。
【請求項１３】
前記ＩＤが数字列から成り、集合玄関機のテンキー操作で入力されることを特徴とする請求項８乃至１０の何れかに記載のインターホンシステム。
【請求項１４】
前記ＩＤがバーコードから成り、前記呼出子機の前記カメラに翳して入力されることを特徴とする請求項１乃至１３の何れかに記載のインターホンシステム。
【発明の詳細な説明】
【技術分野】
【０００１】
本発明はインターホンシステムに関し、特に来訪者の操作を受けて自動応答する技術に関する。
【背景技術】
【０００２】
集合住宅では、不審者の侵入を防ぐためにエントランスには居住者により解錠されるエントランスドアが設置されている。そのため、訪問を受ける度に居住者によるエントランスドアの解錠操作が必要であった。
この煩わしさを解消するために、予め来客等の来訪者のある時間がわかっている場合は、居住者の解錠操作の手間を省いた集合住宅インターホンシステムがある。例えば特許文献１では、来客を予定している時間帯では、来客が集合玄関機を操作して居住者の応答を待つこと無くエントランスドアの解錠を可能とし、居住者に解錠してもらう手間を省くことが可能であった。
【先行技術文献】
【特許文献】
【０００３】
【特許文献１】特開２００９−８１５５４号公報
【発明の概要】
【発明が解決しようとする課題】
【０００４】
上記特許文献１の集合住宅インターホンシステムでは、居住者が応答して解錠操作する煩わしさを解消できた。しかしながら、訪問することを居住者が認識している来訪者であっても、集合玄関機を操作して居住者を呼び出す操作自体は相変わらず必要であり、訪問先にたどり着くまでの来訪者の操作は簡易化されてはいなかった。
また、来訪者によっては家に招き入れる必要が無い場合もあるが、このような来訪者に対しては居住者が応答することなく対処することは不可能であった。
【０００５】
そこで、本発明はこのような問題点に鑑み、来ることがわかっている来訪者に対しては予めＩＤを発行することにより、居住者が応答すること無くインターホンを来訪者に応じて自動動作させることが可能なインターホンシステムを提供することを目的としている。
【課題を解決するための手段】
【０００６】
上記課題を解決する為に、請求項１の発明は、来訪者を撮像するカメラを備えて来訪者が居住者を呼び出して通話するための呼出子機と、カメラの撮像映像を表示するモニタを備えて居住者が呼出子機からの呼び出しに応答して通話するための応答親機とを有するインターホンシステムであって、応答親機は、来訪予定者情報の入力及び当該来訪予定者に対する特定の制御を設定登録するための制御入力部を有する一方、入力された来訪予定者情報及び特定の制御を記憶する設定情報記憶部と、設定された制御を実行する制御手段とを有し、制御手段は、来訪予定者情報の入力を受けたら来訪予定者が使用するＩＤを発行して応答親機に返信すると共に設定情報記憶部に保存し、発行されたＩＤが呼出子機に入力されたら、当該ＩＤに関連付けられている特定の制御を設定情報記憶部から読み取って実行することを特徴とする。
この構成によれば、来訪者が呼出子機にＩＤを入力したら、居住者を呼び出すこと無く、特定の制御、例えば玄関ドアの解錠等の予め決められた制御を実施することができる。よって、来訪者に応じた動作を実施でき、来訪者が居住者の呼出操作を行い、居住者がそれに応答して玄関ドアを解錠操作する手間を無くすことができ、双方にとって煩わしさを軽減できる。
【０００７】
請求項２の発明は、請求項１に記載の構成において、制御入力部が、応答親機に接続されたルータであり、居住者が所持する通信端末からルータを介して制御手段に対して来訪予定者情報の入力及び当該来訪予定者に対する特定の制御の設定登録が可能であり、制御手段で発行されたＩＤは、ルータを介して通信端末に返信されることを特徴とする。
この構成によれば、居住者による登録操作により発行されたＩＤは、通信端末に返信されるため、発行されたＩＤを来訪予定者に伝えやすい。例えば、通信端末から来訪予定者の携帯電話に、居住者がマニュアル操作で通知しても良いし、通信端末から自動送信するよう設定しても良い。
【０００８】
請求項３の発明は、請求項２に記載の構成において、居住者が所持する通信端末には来訪予定者が所持する携帯電話のアドレス或いは電話番号が登録されており、制御手段から通信端末へ発行されたＩＤは、通信端末から携帯電話に自動送信されることを特徴とする。
この構成によれば、発行されたＩＤは設定登録した通信端末から来訪予定者の携帯電話に自動送信されるため、来訪予定者を呼び出して登録番号を通知する煩わしさが居住者に発生しない。
【０００９】
請求項４の発明は、請求項１乃至３の何れかに記載の構成において、応答親機はカメラの撮像映像を保存する映像記憶部を有し、制御手段は、呼出子機にＩＤが入力されたら、カメラの撮像映像をＩＤに関連付けられている応答親機のモニタに表示させることを特徴とする。
この構成によれば、ＩＤを入力した来訪者を居住者は映像で確認できるため、セキュリティの向上に役立つ。
【００１０】
請求項５の発明は、請求項１乃至４の何れかに記載の構成において、設定登録される来訪予定者情報は、来訪予定者の氏名情報或いは名称情報を含み、制御手段は、呼出子機にＩＤが入力されたら、ＩＤに関連付けられている来訪者の氏名情報或いは名称情報をＩＤに関連付けられている応答親機に送信し、表示或いは報音により到着を通知させることを特徴とする。
この構成によれば、到着した来訪者の氏名或いは名称が応答親機において表示或いは報音されるため、居住者は到着した来訪者の氏名や名称を確認できる。
【００１１】
請求項６の発明は、請求項１乃至５の何れかの構成において、特定の制御が、呼出子機でのメッセージの表示或いは報音であり、メッセージは、来訪予定者情報の入力時に設定されることを特徴とする。
この構成によれば、例えば「宅配ボックスに入れてください」を表示或いは報音させれば、宅配業者は、居住者を呼び出す操作を行うこと無く直接宅配ボックス等に荷物を入れることができ、宅配業者は手間を省ける。
【００１２】
請求項７の発明は、請求項１乃至６の何れかに記載の構成において、発行したＩＤには有効期限或いは有効回数が設定されており、制御手段は、有効期限が経過した或いは有効回数を超えたＩＤが呼出子機から入力されても、ＩＤに関連付けられている制御を実施しないことを特徴とする。
この構成によれば、悪用されるのを防止でき、セキュリティを維持できる。
【００１３】
請求項８の発明は、請求項１乃至７に記載の構成において、呼出子機が集合住宅のエントランスに設置された集合玄関機、応答親機が集合住宅の個々の住戸に設置された住戸親機、制御手段が集合玄関機と住戸親機との間の通信を制御する制御装置ＣＰＵであることを特徴とする。
この構成によれば、集合住宅において居住者が応答すること無く来訪者に応じた動作をインターホンシステムに行わせることができる。
【００１４】
請求項９の発明は、請求項８に記載の構成において、特定の制御が、エントランスに設置された集合玄関ドアの電気錠の解錠であることを特徴とする。
この構成によれば、来訪者は居住者を呼び出すこと無く居住エリアに進むことができるし、居住者は集合玄関ドアを開けるために応答する必要がない。
【００１５】
請求項１０の発明は、請求項８又は９に記載の構成において、集合玄関機にＩＤの入力が無く、住戸番号が入力された場合でも特定の制御を実施するよう特定の制御を設定でき、自住戸の住戸番号が入力されたら、ＩＤを発行していただく操作を依頼するメッセージを集合玄関機に表示或いは報音させて、呼出制御を実施しない設定が可能なことを特徴とする。
この構成によれば、ＩＤを入力せず従来の住戸番号による呼び出しがなされた場合、呼び出し拒否設定をすることができ、セキュリティの向上に有効である。
【００１６】
請求項１１の発明は、請求項１乃至８の何れかの記載において、呼出子機が住戸玄関に設置された玄関子機、応答親機が居室に設置された居室親機、制御手段が居室親機に組み込まれて成ることを特徴とする。
この構成によれば、戸建住宅において居住者が応答すること無く来訪者に応じた動作をインターホンシステムに行わせることができる。
【００１７】
請求項１２の発明は、請求項１１に記載の構成において、特定の制御が、玄関ドアの電気錠の解錠であることを特徴とする。
この構成によれば、来訪者は居住者を呼び出すこと無く玄関ドアを開けることが可能であるし、居住者は玄関ドアを開けるために応答する必要がない。
【００１８】
請求項１３の発明は、請求項８乃至１０の何れかに記載の構成において、ＩＤが数字列から成り、集合玄関機のテンキー操作で入力されることを特徴とする。
この構成によれば、訪問先の住戸を選択するために集合玄関機に設けられているテンキーを使用してＩＤ入力できるため、別途ＩＤ入力手段が必要無く、来訪予定者に口頭でも伝えやすい。
【００１９】
請求項１４の発明は、請求項１乃至１３の何れかに記載の構成において、ＩＤがバーコードから成り、玄関子機のカメラに翳して入力されることを特徴とする。
この構成によれば、来訪者は例えば携帯電話にバーコードを表示させて、それを呼出子機のカメラに翳せば、玄関子機へＩＤを入力でき、別途ＩＤ入力手段が必要無い。
【発明の効果】
【００２０】
本発明によれば、呼出子機にＩＤが入力されたら、居住者を呼び出すこと無く、特定の制御、例えば玄関ドアの解錠等の予め決められた制御を実施することができる。よって、来訪者が居住者の呼出操作を行い、居住者がそれに応答して玄関ドアの解錠操作する手間を必要とせず、双方にとって煩わしさを軽減できる。
【図面の簡単な説明】
【００２１】
【図１】本発明に係るインターホンシステムの一例を示す集合住宅インターホンシステムの構成図である。
【図２】制御装置の機能ブロック図である。
【図３】住戸親機或いは居室親機の表示説明図である。
【図４】戸建住宅に適用したインターホンシステムの説明図である。
【図５】居室親機の機能ブロック図である。
【発明を実施するための形態】
【００２２】
以下、本発明を具体化した実施の形態を、図面を参照して詳細に説明する。図１は本発明に係るインターホンシステムの一例を示し、集合住宅インターホンシステムの構成図である。１は集合住宅のエントランスに設置されて来訪者が住戸を選択して居住者を呼び出すための集合玄関機、２は各住戸に設置されて、集合玄関機１からの呼び出しに応答するための住戸親機、３は集合玄関機１と住戸親機２との間の通信を制御する制御装置、４は宅配物を一時保管する宅配ボックス、５はエントランスに設置されたエントランスドア（集合玄関ドア）、６は携帯電話等とＷｉ−Ｆｉ通信する無線ルータ、７は居住者が所持する通信端末としての携帯電話（以下、「居住者携帯」とする。）、８は来訪者が携行する携帯電話（以下、「来訪者携帯」とする。）である。
【００２３】
集合玄関機１は伝送線Ｌ１を介して制御装置３に接続され、住戸親機２は親機幹線Ｌ２を介して制御装置３に接続されている。また、宅配ボックス４は伝送線Ｌ３を介して制御装置３に接続され、エントランスドア５の電気錠５ａは伝送線Ｌ４を介して制御装置３に接続されている。そして、住戸親機２と無線ルータ６はＬＡＮ配線Ｌ５によりＬＡＮ接続されている。
【００２４】
尚、Ｎは外部の通信ネットワークを示し、居住者携帯７と来訪者携帯８とは通信ネットワークＮを介してインターネット通信等を実施する。また、居住者携帯７及び来訪者携帯８は、いわゆるスマートフォンが使用できる。更に、住戸親機２には、住戸玄関に設置された玄関子機が接続されているが省略している。
【００２５】
集合玄関機１は、住戸を選択して呼び出すためのテンキー等を備えた操作部１１、図示しないマイク及びスピーカを備えた通話部、来訪者を撮像するカメラ１２、呼出先情報等の各種情報を表示するディスプレイ１３等を備えている。
【００２６】
住戸親機２は、呼び出しに応答するための通話ボタン２１、図示しないマイク及びスピーカを備えた通話部、カメラ１２の撮像映像の表示に加えて各種情報を表示するモニタ２２等を備えている。また、映像を保存する映像保存部（図示せず）、無線ルータ６が接続されるＬＡＮ端子を有している。
【００２７】
図２は制御装置３の機能ブロックを示している。図２に示すように、制御装置３は、集合玄関機１と通信するための第１通信ＩＦ３１、住戸親機２と通信するための第２通信ＩＦ３２、宅配ボックス４と通信するための第３通信ＩＦ３３、住戸番号と住戸親機の関係等の各種情報を記憶する記憶部３４、居住者により入力された設定情報を記憶する設定情報記憶部３５、来訪予定者情報等の入力を受けてＩＤとしての登録番号の発行制御を実施し、制御装置３を制御する制御装置ＣＰＵ３６等を備えている。
そして、設定情報記憶部３５には、居住者により入力された来訪予定者情報及び来訪予定者が到着した際の制御内容、更には制御装置３が発行した登録番号等が記憶される。
【００２８】
上記の如く構成されたインターホンシステムの動作は、以下のようである。但し、登録番号が与えられていない場合の来訪者による集合玄関機１の操作は、従来と同様であるため説明を省略する。即ち、集合玄関機１を操作して訪問先を呼び出し、呼び出しを受けた居住者により住戸親機２から応答が成され、居住者の操作でエントランスドア５の電気錠５ａが解錠される操作の流れは従来と同様であるため、この操作の説明を省略する。
ここでは来訪者に予め通知したＩＤとしての登録番号を集合玄関機１に入力していただき、その後特定の制御を実施する流れを説明する。
【００２９】
まず、来訪予定者に発行される登録番号は以下のように設定される。居住者が居住者携帯７からスケジューラーなどのアプリケーションソフトウェアを使用して来訪予定者情報を入力する。具体的に、居住者携帯７を操作して所定のアプリケーションソフトウェアを開き、無線ルータ６を介して制御装置３にアクセスして通信を開始する。通信が開始されて、所定の入力画面が表示されたら、まず来訪予定者の氏名或いは名称が入力される。
引き続き、来訪予定者に応じたインターホンシステムの動作設定が入力される。この時、例えば呼び出し後自動的にエントランスドア５をオープン（電気錠５ａを解錠）する等が設定される。
【００３０】
こうして設定された情報は、無線ルータ６、住戸親機２を介して、その情報が制御装置３に送信されて記憶される一方、制御装置ＣＰＵ３６の制御により、来訪予定者が集合玄関機１に入力する登録番号が発行される。発行された登録番号は、住戸親機２、無線ルータ６を介して、居住者携帯７に返信される。また、このとき発行される登録番号は、例えば５桁の数字列から成り、居住者を呼び出す際に入力される住戸番号とは異なる桁数で設定されている。
【００３１】
更に制御装置ＣＰＵ３６は、登録番号の有効期限或いは有効回数を管理しており、登録番号を発行した時点から経過時間をカウントし、所定の時間が経過したら使用不可とするし、使用回数が所定回に達したらそれ以降は使用不可とする。
このように管理することで、登録番号が悪用されるのを防止でき、セキュリティを維持できる。
【００３２】
制御装置３から登録番号が返信された居住者携帯７は、メーラーやメッセンジャーなどのアプリケーションソフトウェアを使用して、受信した登録番号を来訪者携帯８に送信する。来訪者携帯８のアドレス或いは電話番号等は、居住者携帯７から、来訪予定者を制御装置３に入力する際に合わせて入力され、居住者携帯７に登録される。この登録情報を受けて、アプリケーションソフトウェアの制御により、登録された来訪者携帯８に送信される。
尚、居住者が来訪予定者の入力に使用する機器は携帯電話（居住者携帯７）でなくとも良く、ＰＣ（パーソナルコンピュータ）を使用しても良い。ＰＣの場合も、携帯電話と同様に登録番号を受信すると、メーラーやメッセンジャーなどのアプリケーションソフトウェアを使用して来訪者携帯８に登録番号を送信することができる。
【００３３】
この結果、来訪者携帯８への登録番号の送信は、居住者携帯７のアプリケーションソフトウェアによって自動的に行われる。
【００３４】
登録番号の送信を受けた来訪予定者は、訪問先に到着する前に来訪者携帯８を見て訪問時に必要な登録番号を認識する。そして、来訪者（来訪予定者）が訪問先に到着したら、送信された登録番号を集合玄関機１から入力する。このとき、登録番号は操作部１１を構成するテンキーを使用して入力される。
入力された登録番号は、制御装置ＣＰＵ３６が認識し、設定情報記憶部３５から登録番号に関連付けられている制御を読み取り、その制御を実行する。
【００３５】
例えば、このときの来訪者が家に招き入れる来客である場合は、エントランスドア５の電気錠５ａを解錠し、集合玄関機１に「ドアを解錠しましたお入りください」等のメッセージを表示或いは報音するよう動作設定が成される。この表示或いは報音を受けて、来訪者は居住者を呼び出すこと無く居住エリアに進むことができるし、居住者はエントランスドア５を開けるために応答する必要がなく、両者にとって利便性が向上する。
【００３６】
また、制御装置３は、この設定された動作とは別に、登録番号に関連付けられている住戸親機２に、来客者情報（例えば、登録されている氏名等の情報）を送信すると共に、到着を通知するための通知信号を送信する。更に、集合玄関機１のカメラ１２の撮像映像を送信する。
【００３７】
一方、通知信号を受信した住戸親機２では、通知音を報音させると共に、制御装置３から送信された情報を表示する。図３はこの表示を示す説明図であり、Ｍ１は来訪者、Ｍ２は登録されている来訪者の氏名又は名称の表示を示している。図３に示すように、モニタ２２には、操作を受けて起動した集合玄関機１のカメラ１２の撮像映像が表示されると共に、制御装置３から送信された、登録番号に関連付けられている来訪者の氏名或いは名称が、現在の日時情報と共に表示される。
【００３８】
このように、来訪者により集合玄関機１にＩＤとしての登録番号が入力されたら、居住者を呼び出すこと無く、特定の制御、例えばエントランスドア５の解錠等の予め設定された制御を実施することができる。よって、来訪者に応じた動作を実施でき、来訪者が居住者の呼出操作を行い、居住者がそれに応答してエントランスドア５を解錠操作する手間を無くすことができ、双方にとって煩わしさを軽減できる。
また、居住者により登録操作を受けて来訪予定者に対して発行された登録番号は、居住者に返信され、登録番号は居住者携帯７から来訪者携帯８に自動送信されるため、来訪予定者を呼び出して登録番号を通知する煩わしさが居住者に発生しない。
更に、登録番号を入力した来訪者の撮像映像が住戸親機２に表示されるため、居住者は映像で確認でき、セキュリティの向上に役立つ。加えて、到着した来訪者の氏名或いは名称が住戸親機２において表示されるため、居住者は到着した来訪者の氏名や名称で確認できる。
また、訪問先の住戸を選択するために集合玄関機１に設けられているテンキーを使用してＩＤ入力できるため、別途ＩＤ入力手段が必要無く、来訪予定者に口頭でも伝えやすい。
【００３９】
尚、来訪者による登録番号の入力を受けて、来訪者の氏名或いは名称が住戸親機２に表示される動作に代えて、氏名又は名称をアナウンスにより住戸親機２で報音して通知しても良いし、表示とアナウンスの双方を実施しても良い。
また、発行された登録番号を居住者携帯７から来訪者携帯８に自動送信しているが、居住者が来訪予定者を呼び出して通知しても良い。
【００４０】
次に、来訪予定者が物品を配達する宅配業者である場合を説明する。居住者の留守／在宅に関わらず、宅配業者に物品を宅配ボックス４に入れて貰いたい場合は、物品を宅配ボックス４に入れて貰うよう制御設定される。
来訪予定者情報を入力するために、居住者携帯７と制御装置３とを接続して所定の入力画面が表示されたら、まず来訪予定者の名称入力において宅配業者名を入力し、制御内容として「荷物を宅配ボックスに入れてください」を集合玄関機１に表示或いはメッセージをアナウンスするよう登録する。
尚、この場合も、宅配業者への登録番号の通知は、来訪予定者情報の入力に合わせてアドレス或いは電話番号が入力される。そして、この場合はエントランスドア５を解錠する制御は設定しない。
【００４１】
この設定により、登録番号を受け取り集合玄関機１に入力した宅配業者には、集合玄関機１に「荷物を宅配ボックスに入れてください」が表示或いはアナウンスされるため、居住者の呼び出しをすること無く、宅配ボックス４に収容すれば良いことを認識でき、宅配業者は居住者を呼び出す手間を省ける。
そして、このように宅配ボックス４に入れてもらうよう集合玄関機１にメッセージを表示する制御は、不在にする際に都合が良く、宅配業者を煩わせることなくスムーズに対応できる。
【００４２】
一方、予定に無い来訪者に対しては、次のような応対を実施することで、セキュリティを上げることができる。
登録番号を入力せず、従来の住戸番号を入力して呼び出しがなされた場合、呼出制御を実施せず、来訪者に対して事前にアポイントメントを取るようにお願いするメッセージを集合玄関機１に表示或いは報音させて、「呼出拒否」を設定することも可能である。
【００４３】
この設定は、居住者携帯７から来訪予定者情報の入力及び来訪予定者に対する特定の制御を設定登録する際に、例えば登録番号無しの制御を設定することで実施でき、登録番号が入力されなかったら、「訪問先に設定番号の登録を依頼してください」等のメッセージを表示或いは報音させるよう制御登録することで実施できる。
尚、この制御を実施する際は、集合玄関機１のカメラ１２を起動して、その撮像映像を住戸親機２の記憶部３４に保存させると良い。
【００４４】
このように、登録番号を入力せず従来の住戸番号の入力による呼び出しがなされた場合は、呼び出しをせずに所定のメッセージを集合玄関機１に表示或いは報音させて登録番号の取得を促すことで、呼出拒否できセキュリティの向上を図ることができる。
そして、上述したように集合住宅において、居住者が応答すること無く来訪者に応じた動作をインターホンシステムに行わせることができる。
【００４５】
次に、本発明のインターホンシステムを戸建住宅に適用した場合を説明する。図４は戸建住宅に適用したインターホンシステムの一例を示す構成図であり、１０１は玄関に設置されて来訪者が居住者を呼び出すための玄関子機、１０２は室内に設置されて玄関子機１０１からの呼び出しに応答するための居室親機、１０５ａは玄関ドア１０５の電気錠である。そして、上記集合住宅インターホンシステムと同様に、６は携帯電話等とＷｉ−Ｆｉ通信する無線ルータ、７は居住者が所持する居住者携帯、８は来訪者が携行する来訪者携帯である。
【００４６】
玄関子機１０１は伝送線Ｌ１１を介して居室親機１０２に接続され、玄関ドア１０５の電気錠１０５ａは伝送線Ｌ１２を介して居室親機１０２に接続されている。そして、居室親機１０２と無線ルータ６とはＬＡＮ配線Ｌ１５によりＬＡＮ接続され、上記集合住宅インターホンシステムの場合と同様に、居住者携帯７と来訪者携帯８とは通信ネットワークＮを介してインターネット通信等を実施する。
【００４７】
玄関子機１０１は、呼出ボタン６１、マイク６２及びスピーカ６３、カメラ６４等を備えている。
【００４８】
図５は居室親機１０２の機能ブロック図を示している。居室親機１０２は、図５に示すように、カメラ６４の撮像映像の表示に加えて各種情報を表示するモニタ９１、応答操作する通話ボタン９２、各種設定操作が可能なタッチパネルから成る操作部９３、マイク９４ａ及びスピーカ９４ｂを備えた通話部９４、映像等を記憶する記憶部９５、設定情報を記憶する設定情報記憶部９６、居室親機１０２を制御する親機ＣＰＵ９７、玄関子機１０１と通信する子機通信ＩＦ９８、電気錠の施錠／解錠信号を出力する電気錠通信ＩＦ９９、無線ルータ６に接続するルータ通信ＩＦ１００等を備えている。
【００４９】
上記の如く構成されたインターホンシステムの動作は以下のようである。但し、呼び出しに対する応答操作は従来と同様であるため説明を省略し、ここでは来訪者に予め通知したバーコードから成るＩＤを玄関子機１０１に入力していただき、その後特定の制御を実施する流れを説明する。
【００５０】
まず、来訪予定者に発行されるバーコードは以下のように設定される。上記集合住宅インターホンシステムの場合と同様に、居住者携帯７を操作して所定のアプリケーションソフトウェアを開き、無線ルータ６を介して居室親機１０２にアクセスして通信を開始する。
通信が開始されて、所定の入力画面が表示されたら、まず来訪予定者の氏名或いは名称等が入力される。引き続き、来訪予定者に応じたインターホンシステムの動作設定が入力される。この時、例えば呼び出し後自動的に玄関ドア１０５を解錠する等が設定される。すると、無線ルータ６を介してその情報が居室親機１０２に送信されて設定情報記憶部９６に記憶される。
【００５１】
一方、来訪予定者情報を受信した居室親機１０２は、親機ＣＰＵ９７が来訪予定者が玄関子機１０１に入力するためのバーコードを生成し、居住者携帯７に返信する。但し、発行されたバーコードは、上記集合住宅インターホンシステムと同様に、有効期限或いは有効回数が設定されており、親機ＣＰＵ９７により使用可能な時間、使用回数が管理されている。
【００５２】
このバーコードを受信した居住者携帯７は、メーラーやメッセンジャーなどのアプリケーションを使用して来訪者携帯８にバーコード情報を送信する。来訪者携帯８へのバーコードの送信は、居住者携帯７のアプリケーションソフトウェアによって自動的に行われる。
【００５３】
来訪予定者は、訪問先に到着する前に来訪者携帯８を見て受信したバーコードを認識し、訪問先に到着したら受信したバーコードを来訪者携帯８に表示させて玄関子機１０１に翳す。尚、玄関子機１０１には、人物の接近を感知する人感センサ（図示せず）が組み込まれており、来訪者の接近を受けてカメラ６４が起動して、撮像を開始する。
こうして翳されたバーコードは、カメラ６４が撮像してその映像が居室親機１０２に送信される。
【００５４】
居室親機１０２では、親機ＣＰＵ９７が玄関子機１０１から送信された画像からバーコードを認識し、そのバーコードに関連付けられている制御内容を設定情報記憶部９６から読み取り、居住者により設定された動作を実施する。
例えば、このときの来訪者が家に招き入れる来客である場合は、玄関ドア１０５を解錠し、玄関子機１０１に「ドアを解錠しましたお入りください」等のメッセージをアナウンスするよう動作設定することができる。このアナウンスを受けて、来訪者は居住者を呼び出すこと無く玄関ドア１０５を開けることができる。一方、居住者は玄関ドア１０５を開けるために応答する必要がなく、両者にとって利便性が向上する。
【００５５】
また、親機ＣＰＵ９７は、この設定された動作とは別に、バーコードに関連付けられて登録されている来訪者の氏名等の情報等をモニタ９１に表示させると共に、到着を通知するための通知音を報音させる。更に、カメラ６４の撮像映像をモニタ９１に表示させる。こうして居室親機１０２の表示説明図でもある上記図３に示すように、モニタ９１に来訪者映像が表示されると共に、来訪者の氏名或いは名称が現在の日時情報と共に表示される。
【００５６】
このように、来訪者は居住者を呼び出すこと無く玄関ドア１０５を開けることが可能であるし、居住者は玄関ドア１０５を開けるために応答する必要がない。
また、来訪者は携帯電話である来訪者携帯８にＩＤとしてのバーコードを表示させて、それを玄関子機１０１のカメラ６４に翳せば、玄関子機１０１へバーコード情報を入力できるため、別途ＩＤ入力手段が必要無い。
この結果、戸建住宅においても居住者が応答すること無く来訪者に応じた動作をインターホンシステムに行わせることができる。
【００５７】
尚、来訪者に発行されるバーコードは、二次元のＱＲコード（登録商標）あっても良い。また、上記集合住宅に適用したインターホンシステムでは、ＩＤを番号列としたが、戸建住宅のインターホンシステムと同様にバーコードとしても良い。
【符号の説明】
【００５８】
１・・集合玄関機（呼出子機）、２・・住戸親機（応答親機）、３・・制御装置、４・・宅配ボックス、５・・エントランスドア（集合玄関ドア）、５ａ・・電気錠、６・・無線ルータ（制御入力部）、７・・携帯電話（通信端末）、８・・携帯電話、９・・玄関ドア、１１・・操作部、１２・・カメラ、２２・・モニタ、３４・・記憶部（映像記憶部）、３５・・設定情報記憶部、３６・・制御装置ＣＰＵ（制御手段）、６４・・カメラ、９１・・モニタ、９５・・記憶部（映像記憶部）、９７・・親機ＣＰＵ（制御手段）、１０１・・玄関子機（呼出子機）、１０２・・居室親機（応答親機）。
【図１】
2019149761.tif 000003
【図２】
2019149761.tif 000004
【図３】
2019149761.tif 000005
【図４】
2019149761.tif 000006
【図５】
2019149761.tif 000007